(57)【要約】【課題】本発明は、指紋により、個人の認証を行うための指紋画像入力装置に関し、疑似指紋により個人認証が偽証されるのを防止すべくセキュリティを高めることが課題である。【解決手段】指紋照合する指が、両手若しくは片手の指の中から制御装置６によりランダムに指示される指紋画像入力装置１とする。【選択図】    図１
2005011168.tif 000002
【特許請求の範囲】
【請求項１】
指紋照合する指が、両手若しくは片手の指の中から制御装置によりランダムに指示されること、
を特徴とする指紋画像入力装置。
【請求項２】
制御装置によって複数回に亘り指紋照合する指が指示されること、
を特徴とする請求項１に記載の指紋画像入力装置。
【発明の詳細な説明】
【０００１】
【発明の属する技術分野】
本発明は、指紋により、個人の認証を行うための指紋画像入力装置に係り、詳しくは、疑似指紋により個人認証が偽証されるのを防止すべくセキュリティを高めた指紋画像入力装置に関する。
【０００２】
【従来の技術】
従来において、セキュリティを高めた扉の電子錠における特定個人の認証に用いられる認証手段には、人の指紋を照合することが行われており、また、近年のコンピュータや携帯電話の発展、インターネットにおける電子マネー等の登場、犯罪捜査のスピード化の要請により、指紋画像入力装置による個人の認証が、各部門において極めて重要な役割を果たしている。
【０００３】
そのような指紋画像入力装置として、例えば、比較的安定した画像入力として光学方式では、透明な導光板に指を押圧し、それを光源で照射し、その反射光をレンズを介してイメージセンサで結像させて、指紋画像を読み取り、指紋を照合するものが知られている（例えば、特許文献１参照。）。
【０００４】
【特許文献１】
特開平１０−２８９３０４号公報（第１−６頁  、第１図）
【０００５】
【発明が解決しようとする課題】
しかしながら、個人の認証を行う際に、指の指紋を照合するには、親指や人差し指等、ある特定された指で固定的に行っている。そこで、例えば、前記特定された指の擬似指紋をフィルム等に写し取り、その擬似指紋を使用して指紋画像入力装置の接触面に貼着し、本人であるかのように偽り、不正に機密室に入室したり、コンピュータを不正使用したり等する行為が行われることがある。指紋照合による個人の認証は、他の認証方法（虹彩や顔）に較べて比較的コピーを作成しやすく、不正が行われやすい。よって、指紋照合の信頼性を確保するため更にセキュリティを高める必要がある。本発明に係る指紋画像入力装置は、このような課題を解決するために提案されたものである。
【０００６】
【課題を解決するための手段】
上記課題を解決するために、本発明に係る指紋画像入力装置の要旨は、指紋照合する指が、両手若しくは片手の指の中から制御装置によりランダムに指示されることである。
また、前記制御装置によって複数回に亘り指紋照合する指が指示されることを含むものである。
【０００７】
本発明に係る指紋画像入力装置によれば、指紋照合する指が、実際に照合する際にその場でランダムに指示されるので、疑似指紋を予め用意しておく等の不正行為が困難となるものであり、更に、複数回に亘って、指紋照合される指が指示されることで、セキュリティが一層高まるものである。
【０００８】
【発明の実施の形態】
次に、本発明に係る指紋画像入力装置１について、図面を参照して説明する。前記指紋画像入力装置１の概略構成は、図１に示すように、指紋画像読込み部２と、指紋照合する指を特定して表示する指紋照合指の指示装置３と、照合すべき指紋データが蓄積され記憶されているハードディスクの指紋記憶部４と、個人認証により許可された個人であることが確認された場合に扉の入出等が可能となるようにする錠装置若しくは指紋照合が一致したことを知らせる表示装置等５と、これらを制御するとともに、前記照合する指紋をランダムに指示するプログラムが組み込まれている制御装置６とから、概略構成されている。
【０００９】
前記指紋画像読込み部２の構成は、例えば、図２に示すように、支持框体部２ａに支持された透明な導光板２ｂと、単色光源のＬＥＤである照射光源２ｃと、該照射光源２ｃが指１１の指紋面で反射した光を集光する屈折率分布型のマイクロレンズ２ｄと、該マイクロレンズ２ｄにより集光され結像された光を受光する受光手段である受光センサー部２ｅと、から構成されている。
【００１０】
前記指紋画像の読み込みの際には、指１１を接触面２ｆに押し当てて、矢印方向にスイープさせることで、受光センサー部２ｅから制御装置に指紋画像データが送られ、２次元指紋画像データが得られるものである。
【００１１】
また、指紋照合指の指示装置３は、図３（Ａ）に示すように、例えば、前記指紋画像読込み部２の一部に、表示部を設ける。その表示部に、左右の手形７を伏せた形で表示してある。一方、図３（Ｂ）に示すように、パーソナルコンピュータ側には、ディスプレイ等の表示装置において、照合する指の指示画面が用意されており、その指示画面に左右の手形８が伏せて表示されている。この手形８の内の一つの指先８ａが指定されるものである。
【００１２】
前記指先８ａの指定は、通常、制御装置６により特定される。当該制御装置６には、ＣＰＵで乱数を発生させることができるので、それにより、１０本の指の内から一本を指定するものである。この指定された指先８ａの情報が、前記指紋画像読込み部２に伝達されて、同じ位置の指先７ｃがマークされて、その指先の照合が指示されるものである。
【００１３】
更に、セキュリティの向上のために、前記指先の指示が、複数回に亘り指示されることである。例えば、図４に示すように、指紋照合が一致した場合でも、それ１回では終了しないで、２回目の照合を行うものである。勿論、１回目の指紋照合で一致しない場合、若しくは途中回で一致しなかった場合には、それで終了となるようにする。
この照合回数を例えば、３回くらい繰り返して、その全てにおいて、一致したところで、個人認証合格とするものである。
【００１４】
このようにして、指紋照合する指が、ランダムに指示され、かつ、複数回も行われるので、擬似指紋により不正を働くことが困難となるものである。なお、照合する指の特定を、パーソナルコンピュータで自動指示するのを一旦停止して、オペレータが直接指示するように、マニュアルに切り替えることも容易にできるものである。
【００１５】
【発明の効果】
上記説明したように、本発明に係る指紋画像入力装置は、指紋照合する指が、両手若しくは片手の指の中から制御装置によりランダムに指示されるので、擬似指紋を作成して不正行為を働こうとしても困難となる。よって、指紋照合の信頼性が向上すると言う優れた効果を奏するものである。
また、前記制御装置によって複数回に亘り指紋照合する指が指示されるので、更にセキュリティが向上するものである。
【図面の簡単な説明】
【図１】本発明に係る指紋画像入力装置１の全体概略構成を示すブロック図である。
【図２】同本発明に係る指紋画像入力装置１における指紋画像読込み部２の構成を示す一部拡大正面図である。
【図３】同本発明に係る指紋画像入力装置１における指紋照合指の指示装置の表示内容を示す説明図である。
【図４】同本発明に係る指紋画像入力装置１において、制御装置６により複数回の照合を指示する様子を示す一例の説明図である。
【符号の説明】
１      指紋画像入力装置、        ２          指紋画像読込み部、
３      指紋照合指の指示装置、    ４          指紋記憶部、
５      錠装置又は表示装置等、    ６          制御装置、
７      左右の手形、              ７ａ，７ｂ  手形、
７ｃ    指先、                    ８ａ        指先、
１１    指。
【図１】
2005011168.tif 000003
【図２】
2005011168.tif 000004
【図３】
2005011168.tif 000005
【図４】
2005011168.tif 000006